(57)【特許請求の範囲】
【請求項１】
トイレルームの壁面に固定されるブラケットであって、リモコンの装着部を有するリモコン取付ブラケットにおいて、
該リモコン取付ブラケットの一部を屈曲させて起立片とし、該リモコンを該起立片に立て掛け可能としたリモコン取付ブラケットであって、
該リモコン取付ブラケットは、壁面に固定された状態において、壁面と対面する平板部と、該平板部の下辺部分に立設されたリブを有しており、
該リモコン取付ブラケットにリモコンを立て掛けるときには、該起立片を斜めに起立させ、該起立片の先端をリモコンの背面の凹部に差し込み、リモコンの下端を該リブに当てることにより、該リモコンを該起立片に立て掛け可能であることを特徴とするリモコン取付ブラケット。
【請求項２】
請求項１において、前記起立片を起立させるための屈曲用溝を設けたことを特徴とするリモコン取付ブラケット。
【発明の詳細な説明】
【０００１】
【発明の属する技術分野】
本発明は、トイレルーム内の温水洗浄装置等の電装品を遠隔操作するリモコンをトイレルームの壁面に取り付けるためのリモコン取付ブラケットに関する。
【０００２】
【従来の技術】
トイレルーム内には、便器着座者の臀部を温水で洗浄する温水洗浄装置の他、暖房便座、エアコン、足許温風器、脱臭装置などの種々の電装品が設置される。これらの電装品の中でも温水洗浄装置は種々の機能を有し、スイッチ数が多いと共に、便器に座った状態でスイッチ操作することが多いため、操作用スイッチを備えたリモコンをトイレルームの壁面に取り付けることがある。第９図はリモコンを備えたトイレルーム内の一例を示す斜視図、第１０図はリモコンの正面図である。
【０００３】
洋風便器１０の後部上面にロータンク１１が設置され、このロータンク１１の前面側に便座ボックス１２が設置されている。この便座ボックス１２は、洋風便器１０の側方に張り出す張出部１３を有し、この張出部１３の上面にスイッチパネル（銘板）１４が設けられている。
【０００４】
便座ボックス１２には、洗浄ノズル１５，１６及び温風乾燥ファン（図示略）等が設けられている。また、この便座ボックス１２には、便座１７、便蓋１８が上下方向に回動可能に取り付けられている。
【０００５】
この洋風便器１０の側方のトイレルーム壁面にリモコン２０が設置されている。このリモコン２０には、肛門洗浄用操作スイッチ（シャワースイッチ）２１ａ，２１ｂ，２１ｃ、ビデ洗浄用操作スイッチ２２ａ，２２ｂ，２２ｃ、温風を吹き出させるドライスイッチ２３ａ，２３ｂ，２３ｃ、肛門洗浄（シャワー洗浄）、ビデ洗浄、温風乾燥等の作動をストップさせるストップスイッチ２４が設置されている。なお、各スイッチ２１ａ〜２１ｃ、２２ａ〜２２ｃ、２３ａ〜２３ｃのうち２１ａ，２２ａ，２３ａは温水量又は温風量を少ないものとする弱スイッチであり、２１ｃ，２２ｃ，２３ｃは温水量又は温風量を多いものとする強スイッチであり、２１ｂ，２２ｂ，２３ｂは温水量又は温風量を中間量とする中スイッチである。
【０００６】
また、リモコン２０には、温水又は温風の温度を上昇させるスイッチ２５と低下させるスイッチ２６とが設けられている。
【０００７】
なお、同様のスイッチが張出部のスイッチパネル１４にも設けられている。図示はしないが、洗浄の広がりを調整するためのワイド洗浄入／切スイッチ、洗浄位置前進スイッチ、その後退スイッチ、便座の温度を調整するための便座温度調節スイッチが設けられてもよい。
【０００８】
このリモコン２０には、時刻やトイレルーム内の気温、あるいは装置の作動状況、電池の残存容量などを表示する液晶よりなる表示画面２７が設けられている。
【０００９】
リモコン２０内には、前記各スイッチ２１ａ〜２１ｃ、２２ａ〜２２ｃ、２３ａ〜２３ｃ、２４〜２６の操作信号を赤外線等として便座ボックス１２に向けて発信する回路のほか、表示画面２７に文字等を表示するための液晶駆動制御回路などが設置されている。
【００１０】
このように構成されたリモコン付きの温水洗浄装置にあっては、各スイッチ２１ａ〜２３ｃを操作することによりシャワー洗浄、ビデ洗浄又は温風乾燥を行うことができる。スイッチ２４によりこの洗浄動作又は乾燥動作を終了させることができる。この洗浄又は乾燥動作中にスイッチ２５又は２６を操作することにより、洗浄水温又は温風温度を調節することができる。このリモコンをトイレルームの壁面に取り付けるためにブラケットが用いられている。
【００１１】
従来のリモコン取付ブラケットの一例（特開平７−３２４３６６号の従来例）について第１１図を参照して説明する。このリモコン取付ブラケット１は、略々平板状であり、左右の側辺部分と下辺部分とにリブ２，３が表側に立設されている。左右の側辺のリブ２には、内向きに爪部４が突設されている。このブラケット１をトイレルームの壁面５に取り付けるために、該ブラケット１にビス６の挿通孔７が設けられている。
【００１２】
リモコン８には、左右の側面に、前記爪部４が係合する溝９が設けられている。このリモコン８の前面には、温水洗浄装置（臀部を温水で洗浄するための装置）、暖房便座あるいはトイレ用空調機器などのトイレ電装品のコントロール用スイッチが設けられている。
【００１３】
特開平１１−２０６６１５号公報には、トイレルーム壁面に新たな固定穴をあけることなくリモコンを壁面に取着できるようにするために、ペーパーホルダにリモコン装着部を具備させることが記載されている。
【００１４】
【発明が解決しようとする課題】
第１１図のように従来のリモコン取付ブラケットは、壁にビスで固定されるものであるため、ビス留めが入居契約で禁止されている賃貸住宅等にあっては、リモコンを壁に装着することができず、棚や出窓の上にリモコンを放置する如く載せておかざるを得ない。このようなリモコンは、トイレルームの美感を損ねるだけでなく、置き物などの装飾品や予備ペーパー等を置くときの邪魔になりがちである。
【００１５】
特開平１１−２０６６１５号では、リモコンはペーパーホルダにしか設置することができず、リモコンの設置箇所が限定されてしまうと共に、ペーパーホルダとして特殊なものを購入することが必要となり、既存の住宅にそのまま適用することはできない。
【００１６】
本発明は、このような問題点を解決し、リモコンの壁への装着用のブラケットをリモコンの立て掛け用ブラケットにも用いることを可能とすることを目的とする。
【００１７】
【課題を解決するための手段】
本発明のリモコン取付ブラケットは、トイレルームの壁面に固定されるブラケットであって、リモコンの装着部を有するリモコン取付ブラケットにおいて、該リモコン取付ブラケットの一部を屈曲させて起立片とし、該リモコンを該起立片に立て掛け可能としたリモコン取付ブラケットであって、該リモコン取付ブラケットは、壁面に固定された状態において、壁面と対面する平板部と、該平板部の下辺部分に立設されたリブを有しており、該リモコン取付ブラケットにリモコンを立て掛けるときには、該起立片を斜めに起立させ、該起立片の先端をリモコンの背面の凹部に差し込み、リモコンの下端を該リブに当てることにより、該リモコンを該起立片に立て掛け可能であることを特徴とするものである。
【００１８】
かかるリモコン取付ブラケットにあっては、起立片を形成しない状態にあっては、従来のリモコン取付ブラケットと同様にリモコンの壁への装着用として用いることができる。起立片を起立させると、このブラケットをトイレルームの棚や出窓などに置いてリモコンの立て掛けに利用することができる。
【００１９】
【発明の実施の形態】
以下、図面を参照して実施の形態について説明する。第１図は実施の形態に係るリモコン取付ブラケットの斜視図、第２図は第１図のII−II線に沿う断面図、第３図はリモコン取付ブラケットの使用例を示す側面図、第４図は第３図の使用例の斜視図である。
【００２０】
このリモコン取付ブラケット３１は、略々平板状であり、左右の側辺部分と下辺部分とにリブ３２，３３が表側に立設されている。左右の側辺のリブ３２には、内向きに爪部３４が突設されている。このブラケット３１をトイレルームの壁面に取り付けるために、該ブラケット３１にビスの挿通孔３５，３５ａが設けられている。
【００２１】
このブラケット３１は、上辺中央から上方に延出する舌片部３６を備えると共に、この舌片部３６の付け根の裏面には水平左右方向に延在する溝３７が設けられている。舌片部３６は、この溝３７に沿って前方側へ屈曲可能とされている。
【００２２】
リモコン３８の左右の側面には、前記爪部３４が係合する溝３９が設けられている。また、このリモコン３８の後面には舌片部３６の先端（上端）が差し込まれる凹部４０が設けられている。このリモコン３８の前面には、温水洗浄装置（臀部を温水で洗浄するための装置）、暖房便座あるいはトイレ用空調機器などのトイレ電装品のコントロール用スイッチが設けられている。
【００２３】
このブラケット３１は、第１図のように舌片部３６を屈曲させない状態とした場合には、これをビスでトイレルームの壁面に取り付け、従来のブラケットと同様にリモコン３８を壁面に装着することができる。
【００２４】
また、このブラケット３１は、溝３７に沿って舌片部３６を手前側へ屈曲させて起立させ、第３，４図の如く起立片を形成した場合には、リモコン３８をこの起立片に立て掛けるようにして用いることができる。この場合、ブラケット３１を棚や出窓などに置き、起立片（舌片部３６）を斜めに起立させる。そして、リモコン３８の下端をリブ３３に当て、リモコン３８の背面の凹部４０に舌片部３６の先端を差し込む。これにより、リモコン３８は前面を斜め上向きにして設置される。なお、ブラケット３１をビス４１あるいは両面テープ等によって棚や出窓に固定してもよい。
【００２５】
第５図は別の実施の形態に係るリモコン取付ブラケットの斜視図、第６図は第５図のVI−VI線に沿う断面図、第７図は第５図のブラケットの使用例を示す側面図、第８図は第７図の状態を示す斜視図である。
【００２６】
このブラケット３１Ａは、コ字形のスリット４４と、このスリット４４で囲まれた舌片部４２を有する。この舌片部４２の付け根側はブラケット３１Ａの上方側となっており、舌片部４２の自由端はブラケット３１Ａの下方側となっている。舌片部４２の付け根側にあっては、ブラケット３１Ａの裏面に溝４３が設けられており、これにより舌片部４２の下端側を前方へ起立させて起立片を形成可能としている。
【００２７】
このブラケット３１Ａでは、前記溝３７は設けられていない。このブラケット３１Ａのその他の構成は前記ブラケット３１と同一であり、同一符号は同一部分を示している。
【００２８】
このように構成されたブラケット３１Ａは、舌片部４２を起立させてない状態にあっては、従来のリモコン取付ブラケットと同様にリモコンを壁面に装着するように用いられる。舌片部４２を溝４３に沿って屈曲させて起立片としたときには、第７，８図の如くこの起立片の先端をリモコン３８の裏面の凹部４０に差し込んでリモコン３８を立て掛けることができる。
【００２９】
この場合も、ブラケット３１Ａはビス４１や両面テープなどによって棚や出窓に固定されてもよい。
【００３０】
【発明の効果】
以上の通り、本発明のリモコン取付ブラケットによると、リモコンを壁面に装着することができると共に、リモコンを棚や出窓に配置しブラケットの起立片に立て掛けるようにすることもできる。従って、このリモコン取付ブラケットによると、リモコンを棚や出窓等に置く場合のトイレルームの美感を高めることができ、また、リモコンが棚や出窓上で邪魔になることを防止することもできる。
【図面の簡単な説明】
【図１】実施の形態に係るリモコン取付ブラケットの斜視図である。
【図２】第１図のII−II線に沿う断面図である。
【図３】リモコン取付ブラケットの使用例を示す側面図である。
【図４】第３図の使用例の斜視図である。
【図５】別の実施の形態に係るリモコン取付ブラケットの斜視図である。
【図６】第５図のVI−VI線に沿う断面図である。
【図７】第５図のリモコン取付ブラケットの使用例を示す側面図である。
【図８】第７図の状態を示す斜視図である。
【図９】トイレ用リモコンを備えたトイレルーム内の斜視図である。
【図１０】第９図のリモコンの正面図である。
【図１１】従来のリモコン取付ブラケットの斜視図である。
【符号の説明】
１  リモコン取付ブラケット
２，３  リブ
４  爪部
８  リモコン
１０  洋風便器
１２  便座ボックス
１４  スイッチパネル
２０  リモコン
２１ａ，２１ｂ，２１ｃ  シャワースイッチ
２２ａ，２２ｂ，２２ｃ  ビデスイッチ
２３ａ，２３ｂ，２３ｃ  ドライスイッチ
２４  ストップスイッチ
２５，２６  温度調節用のスイッチ
２７  表示画面
３１，３１Ａ  リモコン取付ブラケット
３２，３３  リブ
３４  爪部
３６  舌片部（起立片）
３７  溝
３８  リモコン
４０  凹部
４２  舌片部（起立片）
４３  溝
４４  スリット
【図１】
0004207374.tif 000002
【図２】
0004207374.tif 000003
【図３】
0004207374.tif 000004
【図４】
0004207374.tif 000005
【図５】
0004207374.tif 000006
【図６】
0004207374.tif 000007
【図７】
0004207374.tif 000008
【図８】
0004207374.tif 000009
【図９】
0004207374.tif 000010
【図１０】
0004207374.tif 000011
【図１１】
0004207374.tif 000012